(57)【特許請求の範囲】
【請求項１】
底蓋と、前記底蓋に繋がった背板と、前記背板に繋がった上蓋と、で構成され、前記底蓋には、平面視長方形状のテープカセットを入れる底枠部が立設され、前記上蓋には、前記底枠部の外側からカバーする上枠部が立設されているテープカセットケースにおいて、
前記底枠部は、前記テープカセットの長手側部に対面する底枠後片と、前記テープカセットの短手側部にそれぞれ対面するとともに前記底枠後片の両端にそれぞれ連続する底枠左片及び底枠右片と、を備え、
前記底枠左片の背板側の端部の立設位置、及び、前記底枠右片の背板側の端部の立設位置が、何れも、前記背板に近くになるに従って徐々にケース内側にされていることにより、前記底枠部の前記背板に近い角部が面取り形状にされ、
前記底枠左片の背板側の端部と前記底枠後片との連続位置、及び、前記底枠右片の背板側の端部と前記底枠後片との連続位置に、前記テープカセットの長手側部両端の角部が当接することを特徴とするテープカセットケース。
【請求項２】
前記底枠左片、及び、前記底枠右片には、それぞれ、前記テープカセットの短手側部に当接して収納位置を規制する規制部が形成されていることを特徴とする請求項１に記載のテープカセットケース。
【発明の詳細な説明】
【０００１】
【発明の属する技術分野】
本発明は、テープカセットを収納するテープカセットケースに関する。
【０００２】
【従来の技術】
テープカセットは、持ち運びや保管をする際、一般的にテープカセットケースに収納される。以下、ビデオテープカセットを収納するテープカセットケースを例に挙げて従来技術及びその問題点を説明する。
【０００３】
図４に示すように、ビデオテープカセットを収納する従来のテープカセットケース（ハードケース）７０は、底蓋７２と、底蓋７２に繋がった背板７４と、背板７４に繋がった上蓋７６と、で構成され、上蓋７６を底蓋７２に上から被せるようにしてビデオテープカセットＫを収納する。
【０００４】
底蓋７２には、収納されるビデオテープカセットＫの厚み部（側部）Ｓをカバーする矩形枠状の底枠部８０が形成され、上蓋７６には、底枠部８０の外側からカバーする上枠部８４が形成されている。
【０００５】
底枠部８０は、ビデオテープカセットＫの収納された状態での右側部ＳＲ及び左側部ＳＬをそれぞれカバーする底枠右片８０Ｒ及び底枠左片８０Ｌを備えており、上枠部８４は、底枠右片８０Ｒ及び底枠左片８０Ｌの外側からそれぞれカバーする上枠右片８４Ｒ及び上枠左片８４Ｌを備えている。
【０００６】
ところで、上蓋７６がＲ方向に揺動可能になっており、このため、テープカセットケース７０を閉める際、図５に示すように、上枠左片８４Ｌの背板７４に近い端部８４ＬＰの下辺が、底枠部８０の背板７４に近い左側の角部８８Ｌの上辺に当接して、閉める動作が妨げられることが頻繁に生じていた。このような当接は、底枠部８０の背板７４に近い右側の角部であっても同様に生じていた。
【０００７】
なお、この問題は、ビデオテープカセットに限らず、テープカセットを収納する一般的なテープカセットケースで生じていた。
【０００８】
【発明が解決しようとする課題】
本発明は、上記事実を考慮して、常にスムーズに閉めることができるテープカセットケースを提供することを課題とする。
【０００９】
請求項１に記載の発明は、底蓋と、前記底蓋に繋がった背板と、前記背板に繋がった上蓋と、で構成され、前記底蓋には、平面視長方形状のテープカセットを入れる底枠部が立設され、前記上蓋には、前記底枠部の外側からカバーする上枠部が立設されているテープカセットケースにおいて、前記底枠部は、前記テープカセットの長手側部に対面する底枠後片と、前記テープカセットの短手側部にそれぞれ対面するとともに前記底枠後片の両端にそれぞれ連続する底枠左片及び底枠右片と、を備え、前記底枠左片の背板側の端部の立設位置、及び、前記底枠右片の背板側の端部の立設位置が、何れも、前記背板に近くになるに従って徐々にケース内側にされていることにより、前記底枠部の前記背板に近い角部が面取り形状にされ、前記底枠左片の背板側の端部と前記底枠後片との連続位置、及び、前記底枠右片の背板側の端部と前記底枠後片との連続位置に、前記テープカセットの長手側部両端の角部が当接することを特徴とする。
請求項２に記載の発明は、前記底枠左片、及び、前記底枠右片には、それぞれ、前記テープカセットの短手側部に当接して収納位置を規制する規制部が形成されていることを特徴とする。
【００１０】
本明細書で面取り形状とは、角部を落とし、角部を形成していた枠片同士を平板部材で接続した形状のことを言い、工作物の角を斜めに削った形状に似ている。
【００１１】
テープカセットケースを閉める際に、底枠部の上辺のうち、上枠部の下辺が当接し易い部位は、背板に近い角部であり、請求項１に記載の発明では、この角部が面取り形状にされているので、テープカセットケースを閉める際に、スムーズに閉め易い。
【００１２】
なお、底蓋と、前記底蓋に繋がった背板と、前記背板に繋がった上蓋と、で構成され、前記底蓋には、収納されるテープカセットの側部をカバーする矩形枠状の底枠部が立設され、前記上蓋には、前記底枠部の外側からカバーする上枠部が立設されているテープカセットケースにおいて、前記底枠部の前記背板に近い角部が丸められていても、同様の効果を奏することができる。
【００１３】
【発明の実施の形態】
以下、実施形態を挙げ、本発明の実施の形態について説明する。図１に示すように、放送局で業務用に使用される磁気テープカセット（ベータカムＬカセット）Ｋを収納するテープカセットケース１０は、底蓋１２と、底蓋１２に繋がった背板１４と、背板１４に繋がった上蓋１６と、で構成され、上蓋１６を底蓋１２に上から被せるようにしてビデオテープカセットＫを収納する。
【００１４】
底蓋１２には、収納されるビデオテープカセットＫの厚み部（側部）Ｓをカバーする底枠部２０が形成され、上蓋１６には、底枠部２０の外側からカバーする上枠部２４が形成されている。
【００１５】
底枠部２０は、収納された状態のビデオテープカセットＫの左側部ＳＬ及び右側部ＳＲをそれぞれカバーする底枠左片２０Ｌ及び底枠右片２０Ｒを備えており、上枠部２４は、底枠左片２０Ｌ及び底枠右片２０Ｒの外側からそれぞれカバーする上枠左片２４Ｌ及び上枠右片２４Ｒを備えている。また、底枠部２０は、底枠左片２０Ｌ及び底枠右片２０Ｒにそれぞれ連続する底枠前片２０Ｆ及び底枠後片２０Ｂを備えており、上枠部２４は、底枠前片２０Ｆを外側からカバーする上枠前片２４Ｆを備えている。
【００１６】
図２に示すように、底枠左片２０Ｌのうち背板１４に近い端部２０ＬＥ、及び、底枠右片２０Ｒのうち背板１４に近い端部２０ＲＥは、何れも、底蓋１２の上面での立設位置が、背板１４に近くになるに従って徐々にケース内側すなわち底枠部２０の内側にされており、端部２０ＬＥ及び端部２０ＲＥは、平面から見て何れもケース内側に向けて斜めの直線状に見える平板部で構成される。また、底枠後片２０Ｂの左端２０ＢＬ及び右端２０ＢＲの位置は、底枠左片２０Ｌの端部２０ＬＥ及び底枠右片２０Ｒの端部２０ＲＥに合わせて、従来に比べて底枠後片２０Ｂの中央部に近い位置にされており、底枠後片２０Ｂの長さは従来に比べて若干短い。
【００１７】
この結果、底枠部２０のうち背板１４に近い左側の角部２８Ｌ、右側の角部２８Ｒは、何れも面取り形状になっている。
【００１８】
また、底枠左片２０Ｌ及び底枠右片２０Ｒには、ビデオテープカセットＫの収納位置を規制する規制部３０Ｌ、３０Ｒがそれぞれ形成されている。規制部３０Ｌは、２箇所にわたって形成され、ケース内側に向けて凸にされた部位であり、平面から見てコの字状である。規制部３０Ｒも同様である。更に、底枠前片２０Ｆも、同様に規制部３０Ｆが形成されている。
【００１９】
端部２０ＬＥ及び端部２０ＲＥの後端位置、すなわち底枠後片２０Ｂの左端２０ＢＬ及び右端２０ＢＲの位置は、ビデオテープカセットＫの角部ＫＥが当接して収納が妨げられることがないように、ビデオテープカセットＫの寸法を考慮して設定されている（図２参照）。
【００２０】
このように、角部２８Ｌが面取り形状にされているので、上蓋１６がＲ方向（図１参照）に揺動可能になっていても、テープカセットケース１０を閉める際、図３に示すように、上枠左片２４Ｌの背板１４に近い端部２４ＬＰの下辺が、角部２８Ｌの上辺に当接し難い。また、底枠左片２０Ｌの端部２０ＬＥは上枠左片２４Ｌに対して斜めに設けられているので、端部２４ＬＰが端部２０ＬＥに当接しても、端部２４ＬＰに、外方へ向けて押し出される力が作用する。角部２８Ｒについても同様である。
【００２１】
従って、テープカセットケース１０を常にスムーズに閉めることができる。
【００２２】
以上、実施形態を挙げて本発明の実施の形態を説明したが、本発明の権利範囲が上記実施形態に限定されないことは言うまでもない。例えば、ビデオテープカセット以外のテープカセットを収納するテープカセットケースも、本実施形態の変形例として考えられ、本発明の権利範囲に含まれる。
【００２３】
【発明の効果】
本発明は上記構成としたので、常にスムーズに閉めることができるテープカセットケースが実現される。
【図面の簡単な説明】
【図１】本発明の一実施形態に係るテープカセットケースの斜視図である。
【図２】本発明の一実施形態に係るテープカセットケースを構成する底蓋の平面図である。
【図３】本発明の一実施形態に係るテープカセットケースを閉める際、上蓋が底蓋に当接せずにスムーズに閉まることを示す部分斜視図である。
【図４】従来のテープカセットケースの斜視図である。
【図５】従来のテープカセットケースを閉める際、上蓋が底蓋に当接してスムーズに閉まらないことを示す部分斜視図である。
【符号の説明】
１０  テープカセットケース
１２  底蓋
１４  背板
１６  上蓋
２０  底枠部
２４  上枠部
２８Ｌ、Ｒ  角部
７０  テープカセットケース
７２  底蓋
７４  背板
７６  上蓋
８０  底枠部
８４  上枠部
８８Ｌ  角部
【図１】
0004153182.tif 000002
【図２】
0004153182.tif 000003
【図３】
0004153182.tif 000004
【図４】
0004153182.tif 000005
【図５】
0004153182.tif 000006